(57)【要約】【課題】  浄水器等の水処理装置を追加装着する場合、美観を損なったり操作性を悪化させたりすることなく、簡単に後付することができる水栓を提供する。【解決手段】  給水源からの給水管３０に接続される水栓本体２４と、給水管３０から水栓本体２４に供給される原水を吐出する吐出部２６と、吐出部２６からの原水の吐出を制御する湯水混合弁部２７とを備える。水栓本体２４の基部外周にはアダプタ４１を嵌着し、そのアダプタ４１には取付部４２を設ける。取付部４２には、給水管３０から分岐するとともに浄水器３８を介して水栓本体２４に至る浄水供給管３７ａ，３７ｂ中に接続された止水弁３９を操作するための操作機構４３を着脱可能に取り付けるようにする。【選択図】      図２
2006183383.tif 000002
【特許請求の範囲】
【請求項１】
水栓本体にアダプタを設け、そのアダプタには、供給配管から分岐するとともに、水処理装置を介して水栓本体に至る水処理流路中に接続された止水弁を操作するための操作手段を着脱可能に取り付けるように構成したことを特徴とする水栓。
【請求項２】
前記操作手段は、止水弁に作用するパイロット流路を切り替えることにより、止水弁を開閉させることを特徴とする請求項１に記載の水栓。
【請求項３】
前記アダプタには、前記供給配管から分岐された分岐管と外部機器とを接続するための接続通路を設けたことを特徴とする請求項１または請求項２に記載の水栓。
【請求項４】
水栓本体にアダプタを設け、そのアダプタには、供給配管から分岐された分岐管と外部機器とを接続するための接続通路を設けたことを特徴とする水栓。
【請求項５】
前記アダプタは水栓本体の基部外周に取り付けられたことを特徴とする請求項１〜請求項４のうちのいずれか一項に記載の水栓。
【発明の詳細な説明】
【技術分野】
【０００１】
この発明は、給水源から供給される原水を必要に応じて、例えば浄水化したりするための水処理装置に接続して使用できるようにした水栓に関するものである。
【背景技術】
【０００２】
従来、キッチンのシンク等に通常の湯水混合水栓等の水栓が既設されている場合、そのままではシンクの下部に浄水器等の水処理装置を装着して使用することができなかった。
このため、従来は、浄水器等のための専用水栓を既設水栓とは別に設置していた。このため、シンクまわり全体の美観が低下するとともに、２つの水栓が離れて位置しているために、操作性に難があった。また、既設の水栓を取り外し、高価な水処理装置併用の水栓と交換する場合もあり、この場合には既設水栓が無駄になるのに加えて、さらに高価な水処理装置併用水栓が必要となり、主として経済性の面で大きな問題があった。
【０００３】
このような問題に対処するため、例えば、特許文献１、特許文献２及び特許文献３に開示されるような方法も従来から提案されている。すなわち、これらの従来方法においては、既設されている通常の水栓をそのまま利用して、シンクの下部に浄水器等の水処理装置を装着している。さらに、給水源と水栓との間の配管から水処理流路を分岐させて水栓に接続し、その水処理流路中に前記水処理装置及び電磁弁よりなる止水弁を接続している。そして、シンクの天板上面には、止水弁を制御するための操作スイッチを装着している。
【特許文献１】特開平１０−３０９５６５号公報
【特許文献２】特開平７−１７１５５９号公報
【特許文献３】実用新案登録第３０２７９３４号公報
【発明の開示】
【発明が解決しようとする課題】
【０００４】
ところが、これらの従来方法によれば、水処理装置の止水弁を制御するための操作スイッチが、原水の吐出を制御するための水栓と離れた位置に配置されるため、美観を損なうとともに操作性が悪くなるという問題があった。また、水処理装置の止水弁として電磁弁を使用して、その止水弁を操作スイッチにより電気的に開閉させるようになっているため、止水弁及びその操作構成が高価になるとともに、停電や電池切れの場合は使用できないという問題もあった。
【０００５】
この発明は、このような従来の技術に存在する問題点に着目してなされたものである。その主たる目的は、浄水器等の水処理装置を追加装着する場合、美観を損なったり操作性を悪化させたりすることなく、水処理装置に関する操作機能を後付することができる水栓を提供することにある。
【０００６】
この発明のその上の目的は、水処理装置の止水弁を水圧の切替え制御により開閉させることができて、止水弁及びその操作構成を安価にすることができる水栓を提供することにある。
【課題を解決するための手段】
【０００７】
上記の目的を達成するために、請求項１に記載の発明においては、水栓本体にアダプタを設け、そのアダプタには、供給配管から分岐するとともに、水処理装置を介して水栓本体に至る水処理流路中に接続された止水弁を操作するための操作手段を着脱可能に取り付けるように構成したことを特徴とする。
【０００８】
請求項２に記載の発明においては、請求項１に記載の発明において、前記操作手段は、止水弁に作用するパイロット流路を切り替えることにより、止水弁を開閉させることを特徴とする。
【０００９】
請求項３に記載の発明においては、請求項１または請求項２に記載の発明において、前記アダプタには、前記供給配管から分岐された分岐管と外部機器とを接続するための接続通路を設けたことを特徴とする。
【００１０】
請求項４に記載の発明においては、水栓本体にアダプタを設け、そのアダプタには、前記供給配管から分岐された分岐管と外部機器とを接続するための接続通路を設けたことを特徴とする。
【００１１】
請求項５に記載の発明においては、請求項１〜請求項４のうちのいずれか一項に記載の発明において、前記アダプタは水栓本体の基部外周に取り付けられたことを特徴とする。
（作用）
この発明においては、システムに浄水器等の水処理装置を追加して装着する場合、既設の水栓と水処理装置の関連操作機能を備えた水栓とを交換する必要がなく、既設の水栓に対して水処理装置に関する操作機能のみを容易に後付することができる。よって、水処理装置の追加装備を安価に行うことができるとともに、従来方法とは異なり、水処理装置の関連操作部が水栓から離れた位置に配置されることがなく、美観を損なったり操作性を悪化させたりするおそれを防止することができる。
【００１２】
操作手段を、止水弁に作用するパイロット流路を切り替えることにより、止水弁を開閉させる構成とすれば、水処理装置の止水弁を水圧の切替え制御により開閉させることができる。よって、止水弁として電磁弁を使用している従来方法に比較して、止水弁及びその操作構成を安価にすることができるとともに、停電や電池切れ等にともなう不都合は生じない。
【００１３】
アダプタに、前記供給配管から分岐された分岐管と外部機器とを接続するための接続通路を設ければ、既設の水栓を使用して外部機器を給水源からの配管に対して容易に接続することができる。
【００１４】
アダプタを水栓本体の基部外周に取り付ければ、水栓本体の構成を大幅に変更することなく、操作手段取付部や接続通路を設けることができて、水栓の構成を簡略化することができる。
【発明の効果】
【００１５】
以上のように、この発明によれば、浄水器等の水処理装置を追加装着する場合、美観を損なったり操作性を悪化させたりすることなく、簡単に、かつ低コストで水処理装置に関する操作機能等を後付することができる。
【発明を実施するための最良の形態】
【００１６】
以下に、この発明の一実施形態を、図面に基づいて説明する。
図１及び図２には、シンクの下部に水処理装置としての浄水器を装備したキッチンシステムが示されている。このキッチンシステムにおいては、シンク２１の天板２１ａに貫通孔２２が形成され、その貫通孔２２上には水栓２３の水栓本体２４が天板２１ａの下面に圧接される馬蹄形座金２５を介して図示しないボルト及びナットにより締結固定されている。前記図示しないボルトは水栓本体２４に固定されて貫通孔２２に挿通され、このボルトに支持された馬蹄形座金２５がボルトに螺合された前記ナットにより固定される。この水栓本体２４に水平面内で回動可能に支持した突出部２４ａの先端には、吐出部２６が着脱可能に取り付けられている。水栓本体２４の上部には制御弁を構成する湯水混合弁（図示しない）を内蔵した湯水混合弁部２７が設けられ、その湯水混合弁部２７上の上端には吐出部２６から吐出される吐出水の温度及び水量を調節するための操作レバー２８が突設されている。
【００１７】
図１、図２及び図１１に示すように、前記シンク２１の下部には給水用元栓２９が配設され、その給水用元栓２９の一次側には図示しない給水源としての水道管が接続されている。給水用元栓２９の二次側には配管としての給水管３０が接続され、その給水管３０が前記貫通孔２２を介して水栓本体２４内に導入されて、湯水混合弁部２７の一次側に接続されている。前記給水用元栓２９の側方に隣接位置するように、シンク２１の下部には給湯用元栓３１が配設され、その給湯用元栓３１の一次側には図示しない給湯源としての給湯器が接続されている。給湯用元栓３１の二次側には配管としての給湯管３２が接続され、その給湯管３２が貫通孔２２を介して水栓本体２４内に導入されて、湯水混合弁部２７の一次側に接続されている。
【００１８】
前記湯水混合弁部２７の二次側には湯水供給管３３が接続され、その湯水供給管３３は貫通孔２２を介して水栓本体２４外に導出されている。湯水供給管３３の先端には可撓性を有するメタルホース３４がカプラチーズ３５を介して接続され、そのメタルホース３４が貫通孔２２を介して水栓本体２４内に導入されて、前記吐出部２６に接続されている。そして、湯水混合弁部２７の操作レバー２８が水平方向に温度調節操作されるとともに、上下方向に水量調節操作されることにより、給水管３０及び給湯管３２から供給される原水としての水及び湯が湯水混合弁部２７において所定の混合比で混合され、あるいは混合されることなく水あるいは湯のみが選択される。その後、混合水，水，湯のいずれかが湯水混合弁部２７から湯水供給管３３及びメタルホース３４を介して吐出部２６に供給されて、その吐出部２６から吐出されるようになっている。
【００１９】
図１、図２及び図１１に示すように、前記給水管３０には分岐チーズ３６が接続され、この分岐チーズ３６とカプラチーズ３５との間には水処理流路としての浄水供給管３７ａ，３７ｂが接続されている。シンク２１の下部には水処理装置としての浄水器３８が配設され、その浄水器３８の一次側及び二次側の接続口にはそれぞれ浄水供給管３７ａ，３７ｂが接続されている。従って、浄水器３８は、浄水供給管３７ａ，３７ｂを介して分岐チーズ３６とカプラチーズ３５との間に接続されている。浄水器３８の一次側において、浄水供給管３７ａの途中には止水弁３９が接続されている。そして、この止水弁３９が開かれたときには、給水管３０からの水が浄水供給管３７ａ側に流入して、浄水器３８により浄水処理され、その浄水が浄水供給管３７ｂ及びメタルホース３４を介して吐出部２６に供給されて、その吐出部２６から吐出されるようになっている。
【００２０】
図１〜図６に示すように、水栓本体２４の基部（下部）外周には筒状のアダプタ４１が嵌着されている。アダプタ４１の一側面には円筒状の取付部４２が突設され、この取付部４２には前記止水弁３９を開閉操作するための操作手段としての操作機構４３が着脱可能に取り付けられるようになっている。
【００２１】
そこで、以下に、前記操作機構４３及びその関連構成を説明する。すなわち、前記取付部４２の内底部には側面四角形状の取付凹部４２ａが形成されるとともに、取付部４２の内周面には雌ネジ４２ｂが形成されている。アダプタ４１の内周面と取付凹部４２ａの底面との間には挿通孔４４が形成されるとともに、その挿通孔４４の内端と対応して水栓本体２４の周壁には透孔４５が形成されている。取付凹部４２ａ内には前記操作機構４３を構成する弁操作体４６が着脱可能に取り付けられ、その弁操作体４６から延びるパイロットチューブ４７が挿通孔４４及び透孔４５を介して水栓本体２４内に導入された後、天板２１ａ上の貫通孔２２を介して水栓本体２４外に導出されて、止水弁３９に接続されている。
【００２２】
前記取付部４２の雌ネジ４２ｂにはネジ部材４８が外周ネジ部において着脱可能に螺着され、そのネジ部材４８の内周ネジ部には操作ロッド４９がその外周ネジ部において螺合されている。操作ロッド４９の先端には操作ハンドル５０が着脱可能に取り付けられ、固定ネジ５１により抜け止め固定されている。操作ハンドル５０の外面には、固定ネジ５１を覆うためのキャップ５２が着脱可能に取り付けられている。そして、このネジ部材４８、操作ロッド４９及び操作ハンドル５０も前記操作機構４３を構成し、操作ハンドル５０が回動操作されたとき、操作ロッド４９がネジの作用により軸線方向へ進退移動されて、弁操作体４６がその軸線方向に切り替え作動される。これにより、後述するようにパイロットチューブ４７を介して止水弁３９に作用する水の水圧流路が切り替えられて、その止水弁３９が開閉されるようになっている。
【００２３】
図７に示すように、前記止水弁３９においては、弁ケース５５内に浄水供給管３７ａと連通するとともに、隔壁５６ａにより屈曲された流通路５６が形成され、その流通路５６の途中には弁座５７が設けられている。弁座５７と接離可能に対応するように、弁ケース５５内にはダイヤフラムよりなる弁体５８が配設されている。弁体５８と弁ケース５５との間には、弁体５８を弁座５７側に向かって付勢するためのバネ５９が介装されている。これにより、通常では弁体５８が弁座５７に接合されて、流通路５６が閉じられた状態にある。
【００２４】
図７に示すように、前記弁操作体４６から止水弁３９に延びるパイロットチューブ４７は、第１〜第３の３本のパイロットチューブ４７ａ，４７ｂ，４７ｃから構成されている。そして止水弁３９側においては、第１パイロットチューブ４７ａが弁座５７に対して流通路５６の上流側に連通されている。また、第２パイロットチューブ４７ｂが弁体５８に対して弁座５７と反対側の背面部分に連通されている。さらに、第３パイロットチューブ４７ｃが弁座５７に対して流通路５６の下流側に連通されている。
【００２５】
図８〜図９に示すように、前記弁操作体４６においては、第１及び第２弁ケース板６１，６２間には、一対のパッキン板６４によりサンドイッチ状にされた固定板６３が配置され、その固定板６３は第１及び第２弁ケース板６１，６２間に複数のボルト６５により挟着固定されている。固定板６３及び両パッキン板６４には、一対の貫通孔６３ａ，６４ａ及び１つの挿通孔６３ｂ，６４ｂがそれぞれ互いに対応するように形成されている。これらの貫通孔６３ａ，６４ａ及び挿通孔６３ｂ，６４ｂと対応するように、第１弁ケース板６１には凹部６１ａ及び挿通孔６１ｂが形成されている。固定板６３（以後、固定板６３は両パッキン板６４を含むものとして説明する）の一側には、可動板６６が固定板６３と接離する方向へ移動可能に対向配置されている。可動板６６の側面には第１及び第２弁体６７，６８が突設され、前記貫通孔６３ａ，６４ａ及び凹部６１ａに摺動可能に嵌挿されている。第１弁体６７は円筒状に形成されて、その中心に連通孔６７ａが設けられている。これに対して、第２弁体６８は円柱状に形成されている。
【００２６】
前記可動板６６の側面には短円柱状の作動体６９が突設され、固定板６３及び第１弁ケース板６１の挿通孔６３ｂ，６４ｂ，６１ｂに出没可能に挿通されている。第２弁ケース板６２の内面には、バネ受け用凹所７０が形成されている。バネ受け用凹所７０と可動板６６との間には、可動板６６を固定板６３側に付勢するためのバネ７１が介装されている。そして、図８及び図１０に示すように、通常ではバネ７１の付勢力により可動板６６が固定板６３と接合する位置に配置されて、作動体６９が挿通孔６３ｂ，６４ｂ，凹部６１ａから第１弁ケース板６１の外方へ突出されている。
【００２７】
前記第１弁ケース板６１の各凹部６１ａ及び第２弁ケース板６２のバネ受け用凹所７０の周面下部には接続孔７２〜７４が形成されている。第１弁体６７と対応する凹部６１ａの接続孔７２には、第１パイロットチューブ４７ａの弁操作体４６側の端部が接続されている。また、バネ受け用凹所７０の接続孔７３には第２パイロットチューブ４７ｂの端部が接続されている。さらに、第２弁体６８と対応する凹部６１ａの接続孔７４には、第３パイロットチューブ４７ｃの端部が接続されている。
【００２８】
そして、図８及び図１０に示すように、通常では弁操作体４６の可動板６６がバネ７１の付勢力により固定板６３と接合する位置に配置されて、第１弁体６７の連通孔６７ａが開放され、接続孔７２が連通孔６７ａを介して接続孔７３に連通されている。このため、図７及び図１０に矢印で示すように、止水弁３９における流通路５６の一次側の水圧が、第１パイロットチューブ４７ａ、接続孔７２，７３及び第２パイロットチューブ４７ｂを介して、止水弁３９の弁体５８の背面側に作用している。これにより、弁体５８が弁座５７に圧接されて、止水弁３９の流通路５６が閉じられている。従って、前記給水管３０から浄水供給管３７ａを介して浄水器３８に水が流入したり、浄水供給管３７ｂから流出したりすることはない。
【００２９】
これに対して、図１２及び図１３に示すように、操作ハンドル５０の回動操作により、操作ロッド４９を介して弁操作体４６の作動体６９が押圧されると、可動板６６が固定板６３から離間する位置に移動され、第１弁体６７の連通孔６７ａが第２弁ケース板６２との接合により閉じられる。また、可動板６６と固定板６３との間が開放されて、そこに通路が形成される。これにより、接続孔７２が接続孔７３に対する連通から遮断されるとともに、その接続孔７２が、両弁体６７，６８の外周と貫通孔６３ａ，６４ａとの隙間、及び固定板６３と可動板６６との通路を介して接続孔７４に連通される。このため、図１３及び図１４に矢印で示すように、止水弁３９における流通路５６の一次側の水圧が、第１パイロットチューブ４７ａ、接続孔７２，７４及び第３パイロットチューブ４７ｃを介して、止水弁３９の流通路５６の二次側に抜けるようになる。よって、弁体５８の裏面側に対する一次圧の付与が解除されて弁体５８が流通路５６内の圧力により弁座５７から離間する位置に移動され、止水弁３９の流通路５６が開かれる。このため、前記給水管３０から浄水供給管３７ａを介して浄水器３８に水が流入し、その浄水器３８により浄水処理が行われる状態になる。
【００３０】
従って、操作ハンドル５０の操作により作動体６９を図１２及び図１３の位置に移動させれば、給水用元栓２９側からの水道水が浄水供給管３７ａ等を介して浄水器３８内に流入し、そこで浄化されて、浄水供給管３７ｂ等を介して吐出部２６から吐出され、飲用等に供することができる。
【００３１】
図４〜図６に示すように、前記水栓２３におけるアダプタ４１の取付部４２と反対側の側面には接続部７７が突設され、その接続部７７の外周には雄ネジ７７ａが形成されている。接続部７７とアダプタ４１の下端面との間には、食器洗い乾燥機等の外部機器に配管接続するための接続通路７８が形成されている。そして、水栓２３に外部機器を配管接続しない場合には、接続部７７にキャップ７９を着脱可能に取り付けて、接続通路７８を塞ぐようになっている。
【００３２】
これに対して、水栓２３に外部機器を配管接続する場合には、例えば図１５〜図１９に示すようなシステム構成が採用される。すなわち、このシステム構成において、浄水器３８を装備しない場合には、水栓２３におけるアダプタ４１の取付部４２から、弁操作体４６及び操作ハンドル５０等よりなる操作機構４３が取り外されて、取付部４２にキャップ８１が被覆装着される。また、給水管３０には分岐チーズ３６を介して浄水供給管３７ａ，３７ｂを接続することなく、水栓２３の湯水混合弁部２７が直接に接続されている。さらに、給湯管３２には分岐チーズ８２が接続され、この分岐チーズ８２とアダプタ４１の接続通路７８との間には分岐管８３が接続されている。
【００３３】
前記アダプタ４１の接続部７７には、操作ハンドル８５を有する分岐止水栓８４が着脱可能に接続されている。分岐止水栓８４の二次側には、外部機器としての食器洗い乾燥機８６がカップリング８７を介して着脱可能に接続されている。そして、操作ハンドル８５の操作により分岐止水栓８４が開放されたとき、給湯管３２からの湯が分岐管８３、アダプタ４１の接続通路７８及び分岐止水栓８４を介して、食器洗い乾燥機８６内に供給される。このため、食器洗い乾燥機８６において、食器洗浄を行うことができる。
【００３４】
さて、この水栓２３においては、水栓本体２４の基部外周にアダプタ４１が嵌着され、そのアダプタ４１に取付部４２が設けられている。そして、この取付部４２には、浄水供給管３７ａ，３７ｂ中に接続される止水弁３９を操作するための操作機構４３が着脱可能に取り付けられるようになっている。そのため、この水栓２３をシンク２１に予め装着して、キッチンシステムの一部を構成しておけば、その後に浄水器３８を追加して装着する場合でも、浄水器専用の水栓を別設したり、既設の水栓２３と、浄水器３８用の止水弁３９の操作機能を備えた高価な水栓とを交換したりする必要がない。
【００３５】
すなわち、アダプタ４１の取付部４２に弁操作体４６及び操作ハンドル５０等よりなる操作機構４３を組み込むことにより、既設の水栓２３に対して浄水器３８に関する止水弁３９の操作機能を容易に後付することができる。従って、浄水器３８の追加装備を安価に行うことができる。また、別設の浄水器専用水栓を設ける場合とは異なり、止水弁３９の操作部が水栓から離れた位置に配置されることがなく、水栓本体２４上に一体的に設けられるため、美観を損なったり、操作性を悪化させたりするおそれを防止することができる。
【００３６】
さらに、この水栓２３においては、操作機構４３にて止水弁３９に作用するパイロット流路を切り替えることにより、止水弁３９を開閉させるようになっている。このため、止水弁として電磁弁を使用している従来方法に比較して、止水弁３９及びその操作構成のコストを低減することができるとともに、電気関係の配線等が不要になり、追加装備が簡単である。
【００３７】
しかも、この水栓２３においては、水栓本体２４上のアダプタ４１に、給湯管３２等の配管から分岐された分岐管８３と外部機器とを接続するための接続通路７８が形成されている。このため、食器洗い乾燥機８６等の外部機器を設置する場合、既設の水栓２３を使用して外部機器を配管に対して容易に接続することができる。
【００３８】
加えて、浄水器３８や食器洗い乾燥機８６等を用いない場合は、取付部４２や接続部７７にキャップ８１やキャップ７９を嵌合しておくことにより、美観を保持できる。
以上の述べたこの実施形態の効果を列挙すれば、以下の通りである。
【００３９】
・  水栓２３をシンク２１に予め装着しておくことにより、水栓を取り替えたり、専用水栓を設けたりすることなく、浄水器３８や食器洗い乾燥機８６等の追加設備に対して簡単に対応でき、追加費用や手間を低減できる。
【００４０】
・  浄水器３８や食器洗い乾燥機８６等を追加設備しない場合は、キャップ５２，７９を被せておくことにより、良好な外観を維持できる。
・  浄水器３８等の専用水栓が不要であるため、美観を損なったり、操作性を悪化させたり、あるいは調理等の作業エリアが狭くなったりすることがない。
【００４１】
・  電気関連の構成を用いないため、停電や電池切れ等による機能停止を避けることができるばかりでなく、構成や組付け作業が容易である。
（変更例）
なお、この実施形態は、次のように変更して具体化することも可能である。
【００４２】
・  前記実施形態は、浄水器３８及び食器洗い乾燥機８６の一方を追加設備した例を説明したが、浄水器３８及び食器洗い乾燥機８６の両者をともに追加設備すること。
・  前記実施形態において、水処理装置としての浄水器３８に代えて、酸性水とアルカリ水を生成する整水器や、水に特定のミネラル等の成分を混入させる装置を用いること。
【００４３】
・  前記実施形態において、外部機器としての食器洗い乾燥機８６に代えて、洗濯機等他の機器を接続すること。
【図面の簡単な説明】
【００４４】
【図１】一実施形態の水栓を使用したシステム構成を示す要部斜視図。
【図２】図１のシステム構成の要部正断面図。
【図３】図１のシステム構成においてシンク天板に対する水栓の取付構造を拡大して示す部分側断面図。
【図４】水栓本体に取り付けられたアダプタ及び止水弁操作構成を分解して示す斜視図。
【図５】図１の５−５線における拡大断面図。
【図６】図５の６−６線における断面図。
【図７】図１のシステム構成における止水弁の構成を示す拡大断面図。
【図８】図５の止水弁操作機構を拡大して示す部分断面図。
【図９】図８の止水弁操作機構における止水弁弁操作体を拡大して示す分解斜視図。
【図１０】止水弁弁操作体をほぼ中央において切断して示す部分斜視図。
【図１１】図１のシステム構成の配管図。
【図１２】図８の止水弁操作機構の動作状態を示す部分断面図。
【図１３】図１０の止水弁弁操作体の動作状態を示す部分斜視図。
【図１４】図７の止水弁の動作状態を示す断面図。
【図１５】実施形態の水栓を使用した異なるシステム構成を示す要部斜視図。
【図１６】図１５のシステム構成におけるアダプタ及びその関連構造を分解して示す斜視図。
【図１７】図１５の１７−１７線における要部拡大断面図。
【図１８】図１７の１８−１８線における断面図。
【図１９】図１５のシステム構成の配管図。
【符号の説明】
【００４５】
２１…シンク、２３…水栓、２４…水栓本体、２６…吐出部、２７…制御弁としての湯水混合弁部、２８…操作レバー、３０…原水の配管としての給水管、３２…原水の配管としての給湯管、３６…分岐チーズ、３７ａ，３７ｂ…水処理流路としての浄水供給管、３８…水処理装置としての浄水器、３９…止水弁、４１…アダプタ、４２…操作機構の取付部、４２ａ…取付凹部、４２ｂ…雌ネジ、４３…操作手段としての操作機構、４６…弁操作体、４７…パイロットチューブ、４８…ネジ部材、４９…操作ロッド、５０…操作ハンドル、５５…弁ケース、５６…流通路、５７…弁座、５８…弁体、６３…固定板、６６…可動板、６７…第１弁体、６８…第２弁体、６９…作動体、７７…接続部、７８…接続通路、８３…分岐管、８４…分岐止水栓、８６…外部機器としての食器洗い乾燥機。
【図１】
2006183383.tif 000003
【図２】
2006183383.tif 000004
【図３】
2006183383.tif 000005
【図４】
2006183383.tif 000006
【図５】
2006183383.tif 000007
【図６】
2006183383.tif 000008
【図７】
2006183383.tif 000009
【図８】
2006183383.tif 000010
【図９】
2006183383.tif 000011
【図１０】
2006183383.tif 000012
【図１１】
2006183383.tif 000013
【図１２】
2006183383.tif 000014
【図１３】
2006183383.tif 000015
【図１４】
2006183383.tif 000016
【図１５】
2006183383.tif 000017
【図１６】
2006183383.tif 000018
【図１７】
2006183383.tif 000019
【図１８】
2006183383.tif 000020
【図１９】
2006183383.tif 000021